(57)【要約】【課題】マンションの専有住戸において、台所で発生したゴミを、そこから直接、開放廊下側に搬出するダスト搬出構造を提供する。【解決手段】マンションの専有住戸における台所１を、屋外に開放された開放廊下２に隣接して、かつ所定のスペース３を介して配置し、当該スペース３にダストボックス１０を設ける。また、台所１の外壁４に、当該台所１からダストボックス１０に、当該ダストボックスの投入口を介して、直接ゴミを投入するための投入開口部１１を形成すると共に、当該投入開口部１１を開閉する室内扉１２を設ける。さらに、ダストボックス１０の開放廊下２側に、当該ダストボックス１０内のゴミを取り出すための取出開口部１３を設けると共に、当該取出開口部１３を開閉する室外扉１４を設ける。【選択図】      図１
0003107975.tif 000002
【実用新案登録請求の範囲】
【請求項１】
マンションの専有住戸における台所（１）を，屋外に開放された開放廊下（２）に隣接して，かつ所定のスペース（３）を介して配置し、前記スペースにダストボックス（１０）を設け、前記台所の外壁（４）に，該台所から前記ダストボックスに，該ダストボックスの投入口を介して，直接ゴミを投入するための投入開口部（１１）を形成すると共に，該投入開口部を開閉する室内扉（１２）を設け、前記ダストボックスの前記開放廊下側に，該ダストボックス内のゴミを取り出すための取出開口部（１３）を設けると共に，該取出開口部を開閉する室外扉（１４）を設けてなるマンションの専有住戸のダスト搬出構造。
【請求項２】
マンションの専有住戸における台所（１）を，屋外に開放された開放廊下（２）に隣接して，かつ所定のスペース（３）を介して配置し、前記スペースにダストボックス（１０）を設け、前記台所の外壁（４）に，該台所から前記ダストボックスに、該ダストボックスの投入口を介して、直接ゴミを投入するための投入開口部（１１）を形成すると共に，該投入開口部を開閉する室内扉（１２）を設け、前記ダストボックスの前記開放廊下側に，該ダストボックス内のゴミを取り出すための取出開口部（１３）を設けると共に，該取出開口部を開閉する室外扉（１４）を設け、前記室外扉に，前記専有住戸専用の鍵で施錠できるロック機構（１５）を設けてなるマンションの専有住戸のダスト搬出構造。
【考案の詳細な説明】
【技術分野】
【０００１】
本考案は、マンションの専有住戸において、台所で発生したゴミを、当該台所から直接、開放廊下側に搬出することができるようにしたダスト搬出構造に関するものである。
【背景技術】
【０００２】
従来、マンションの専有住戸において、台所で発生したゴミ（生ゴミや資源ゴミなど）は、一般に、当該台所に備えたゴミ箱に一時的に収納した後、所定の共用ゴミ置き場に搬出している。また、その際、当該台所のゴミを、居間や廊下などの室内を通って搬出している。
【考案の開示】
【考案が解決しようとする課題】
【０００３】
こうした従来のマンションの専有住戸においては、台所で発生したゴミを、当該台所に備えてゴミ箱に一時的に収納しているので、特に、生ゴミの場合にはその臭いが室内に充満して生活環境を害するといった問題が発生する。
【０００４】
また、台所にゴミ箱を備える必要があるので、その分、台所が狭くなってしまうといった問題も発生する。
【０００５】
さらに、そのゴミを搬出する際に、居間などの室内を通る必要があるので、臭いがさらに拡散すると共に、その作業自体も面倒である。
【０００６】
本考案はこうした問題に鑑み創案されたもので、マンションの専有住戸において、台所で発生したゴミを、当該台所から直接、開放廊下側に搬出することができるようにダスト搬出構造を提供することを課題とする。
【課題を解決するための手段】
【０００７】
図１乃至３を参照しながら説明する。請求項１に記載の考案に係るマンションの専有住戸のダスト搬出構造は、マンションの専有住戸における台所１を、屋外に開放された開放廊下２に隣接して、かつ所定のスペース３を介して配置し、前記スペース３にダストボックス１０を設け、前記台所１の外壁４に、当該台所１から前記ダストボックス１０に、当該ダストボックスの投入口を介して、直接ゴミを投入するための投入開口部１１を形成すると共に、当該投入開口部１１を開閉する室内扉１２を設け、前記ダストボックス１０の前記開放廊下２側に、当該ダストボックス１０内のゴミを取り出すための取出開口部１３を設けると共に、当該取出開口部１３を開閉する室外扉１４を設けてなるものである。
【０００８】
請求項２に記載の考案に係るマンションの専有住戸のダスト排出構造は、マンションの専有住戸における台所１を、屋外に開放された開放廊下２に隣接して、かつ所定のスペース３を介して配置し、前記スペース３にダストボックス１０を設け、前記台所１の外壁４に、当該台所１から前記ダストボックス１０に、当該ダストボックスの投入口を介して、直接ゴミを投入するための投入開口部１１を形成すると共に、当該投入開口部１１を開閉する室内扉１２を設け、前記ダストボックス１０の前記開放廊下２側に、当該ダストボックス１０内のゴミを取り出すための取出開口部１３を設けると共に、当該取出開口部１３を開閉する室外扉１４を設け、前記室外扉１４に、前記専有住戸専用の鍵で施錠できるロック機構１５を設けてなるものである。
【考案の効果】
【０００９】
請求項１に記載のマンションの専有住戸のダスト排出構造は、台所１を開放廊下２に隣接して、所定スペース３を介して配置し、そのスペース３にダストボックス１０を配置し、さらに、台所１の外壁４に投入開口部１１を形成し、ダストボックス１０の開放廊下２側に取出開口部１３を形成したので、台所１で発生した生ゴミや資源ゴミなどを、直接、投入開口部１１からダストボックス１０に投入して、当該ダストボックス１０に収納することができる。
【００１０】
このダストボックス１０は、専有住戸の外に設けられており、また、投入開口部１１には開閉自在の室内扉１２が設けられているので、当該室内扉１２を閉じることによって、例えば、生ゴミの臭いが台所１や居間５などの室内に充満することがない。これにより、生活環境の向上を図ることができる。
【００１１】
また、ダストボックス１０を設けたことによって、台所１にゴミ箱を備える必要がなく、よって台所１の空間を広くすることができる。
【００１２】
さらに、ダストボックス１０には、その開放廊下２側に取出開口部１３が設けられているので、当該ダストボックス１０内のゴミは、その取出開口部１３から取り出して共用ゴミ置き場まで搬出することができる。従って、台所１で発生したゴミを、居間５などの室内を通って搬出する必要がなく、その作業が容易であり、ゴミの臭いが室内に充満するのを、さらに防止することができる。
【００１３】
また、取出開口部１３には室外扉１４を設けているので、当該室外扉１４を閉じておくことによって、ダストボックス１０内のゴミの臭いが開放廊下２に放出されるのを防止することができる。
【００１４】
なお、ダストボックス１０は屋外に開放された開放廊下２に接するスペース３に設けているので、例え当該ダストボックス１０に収納されたゴミの臭いが外に放出された場合でも、開放廊下２に充満してしまうことはない。
【００１５】
請求項２に記載のマンションの専有住戸のダスト排出構造は、請求項１に記載の発明と同様に、台所１で発生したゴミの臭いが室内に充満するのを防止することができると共に、当該ゴミを居間５などの室内を通ることなく容易に搬出することができる。また、台所の空間を広くすることができる。
【００１６】
また、このダスト排出構造は、その取出開口部１３の室外扉１４に、専有住戸専用の鍵で施錠できるロック機構１５を設けているので、他人が勝手に室外扉１４を開けてダストボックス１０内を覗き見るなどの行為を未然に防止することができる。
【考案を実施するための最良の形態】
【００１７】
本考案に係るマンションの専有住戸のダスト排出構造の実施形態を、図１乃至図３に示す。これは、マンションの専有住戸におけるもので、その台所１を、屋外に開放された開放廊下２に隣接して、かつ所定のスペース３を介して配置し、そのスペース３にダストボックス１０を設けている。
【００１８】
また、台所１の外壁４に、当該台所１からダストボックス１０に直接ゴミを投入するための投入開口部１１を形成すると共に、その投入開口部１１を開閉する室内扉１２を設けている。さらに、ダストボックス１０の開放廊下２側に、当該ダストボックス１０内のゴミを取り出すための取出開口部１３を設けると共に、その取出開口部１３を開閉する室外扉１４を設けている。
【００１９】
また、室外扉１４に、専有住戸専用の鍵で施錠できるロック機構１５を設けている。この専有住戸の鍵は、玄関の鍵であっても良いし、室外扉１４専用の鍵であっても良い。
【００２０】
なお、本実施形態におけるダストボックス１０は四角筒形状である。また、ダストボックス１０の直上に台所１の出窓１ａを設けて、当該ダストボックス１０の上面を出窓１ａの下面で覆うことができる。
【００２１】
本実施形態におけるマンションの専有住戸のダスト排出構造にあっては、台所１で発生した生ゴミや資源ゴミなどを、直接、投入開口部１１からダストボックス１０に投入して収納することができる。
【００２２】
このダストボックス１０は、専有住戸の外（所定スペース３）に設けられており、また、投入開口部１１には開閉自在の室内扉１２が設けられているので、当該室内扉１２を閉じることによって、ゴミの臭いが室内に充満することを未然に防止することができる。これにより、生活環境が向上する。
【００２３】
また、ダストボックス１０を設けたことにより、台所１にゴミ箱を備える必要がなく、その分、台所の空間を広くすることができる。
【００２４】
さらに、ダストボックス１０に収納したゴミは、その取出開口部１３から取り出して共用ゴミ置き場まで搬出することができる。従って、台所１で発生したゴミを、居間５などの室内を通らず、直接搬出することができるので、搬出作業が容易であり、また、ゴミの臭いが室内に充満するのを、より未然に防止することができる。
【００２５】
また、取出開口部１３に設けた室外扉１４を閉じておくことにより、ダストボックス１０内のゴミの臭いが開放廊下２に放出されるといった事態を未然に防止することができる。
【００２６】
また、ダストボックス１０は屋外に開放された開放廊下２に接するスペース３に設けているので、当該ダストボックス１０に収納されたゴミの臭いが開放廊下２に放出されることがあっても、当該開放廊下２に留まって充満するといった問題は生じない。
【００２７】
さらにこのダスト排出構造は、その取出開口部１３の室外扉１４にロック機構１５を設けているので、施錠しておくことによって、他人が勝手に室外扉１４を開けてダストボックス１０内を覗き見るなどの行為を未然に防止することができる。
【図面の簡単な説明】
【００２８】
【図１】本考案に係るマンションの専有住戸のダスト排出構造の実施形態を示す平面図である。
【図２】図１のＡ矢視図である。
【図３】図１のＢ矢視図である。
【符号の説明】
【００２９】
１      台所
１ａ    出窓
２      開放廊下
３      スペース
４      外壁
５      居間
６      室内廊下
７      玄関
８      メーターボックス
９      居室
１０    ダストボックス
１１    投入開口部
１２    室内扉
１３    取出開口部
１４    室外扉
１５    ロック機構
Ｄ      ドア
【図１】
0003107975.tif 000003
【図２】
0003107975.tif 000004
【図３】
0003107975.tif 000005